(57)【要約】【課題】従来と比して小型でありながら、搬送路同士を確実に接続できるようにする。【解決手段】受渡搬送部２５に設けられた、回動可能な受渡ガイド部８１に、上方に付勢された上側ローラ１００を設け、受渡搬送部２５の上方に位置する搬送部側ガイド部６１に、上側ローラ１００が嵌合する上側溝６９を設けた。これにより、搬送部側ガイド部６１の位置が、受渡ガイド部８１の真上からずれても、上側ローラ１００が上側溝６９に嵌合することにともなって受渡ガイド部８１が回動することで、受渡ガイド部８１を搬送部側ガイド部６１に連結することができる。かくして、受渡ガイド部８１の幅方向の外側に別途受渡ガイド部８１を回動させる為の機構を設けることなく、受渡ガイド部８１の受渡搬送路８４と搬送部側ガイド部６１の搬送部側搬送路６４とを接続できる。【選択図】図１０
2017228250.tif 000002
【特許請求の範囲】
【請求項１】
所定の間隔を空けて対向する２つのガイド面の間に媒体の第１搬送路を形成する搬送ガイド部と、
前記搬送ガイド部と連結することで前記第１搬送路と接続される第２搬送路を形成する接続側搬送ガイド部とを備え、
前記搬送ガイド部は、回動軸を中心に回動可能であり、
さらに前記搬送ガイド部には、前記接続側搬送ガイド部と係合して前記接続側搬送ガイド部との間の位置を規定する位置決め手段が設けられ、当該位置決め手段が前記接続側搬送ガイド部と係合する際に、前記搬送ガイド部が前記接続側搬送ガイド部の位置に応じて回動する
ことを特徴とする媒体処理装置。
【請求項２】
前記接続側搬送ガイド部は、
前記第１搬送路の搬送方向の一端側に位置していて、且つ前記第１搬送路の搬送方向及び幅方向と直交する方向に移動可能であり、
前記回動軸は、前記第１搬送路の幅方向と平行な回動軸であって
前記搬送ガイド部は、
前記接続側搬送ガイド部の位置に応じて回動することで、前記第１搬送路の一端を前記第２搬送路と接続させる
ことを特徴とする請求項１に記載の媒体処理装置。
【請求項３】
前記搬送ガイド部は、
前記ガイド面をそれぞれ形成する一対の搬送ガイドを有し、前記一対の搬送ガイドの一方に前記位置決め手段が設けられている
ことを特徴とする請求項１又は２に記載の媒体処理装置。
【請求項４】
前記位置決め手段は、
前記搬送ガイド部における前記接続側搬送ガイド部と対向する端部から前記接続側搬送ガイド部側に突出する突起部であり、
前記突起部は、
前記第１搬送路の搬送方向にスライド可能で、且つ前記接続側搬送ガイド部側に付勢されていて、
さらに前記接続側搬送ガイド部には、前記突起部が嵌合する溝が形成されていて、
前記搬送ガイド部は、
前記突起部が前記接続側搬送ガイド部の溝に嵌合することで前記接続側搬送ガイド部との間の位置が規定される
ことを特徴とする請求項３に記載の媒体処理装置。
【請求項５】
前記突起部は、
前記搬送ガイド部のガイド面とは反対側の端部寄りに設けられている
ことを特徴とする請求項４に記載の媒体処理装置。
【請求項６】
前記突起部は、
前記第１搬送路の幅方向と平行な回動軸を中心に回動可能なローラであり、
前記溝は、前記ローラが嵌合した際に、前記ローラの周側面と接触する形状及び大きさである
ことを特徴とする請求項４又は５に記載の媒体処理装置。
【請求項７】
前記搬送ガイド部は、
前記第１搬送路の幅方向に間隔を空けて配置された複数の爪体を有し、
前記突起部は、
前記複数の爪体のうちの少なくとも１個の爪体に設けられていて、当該爪体における前記接続側搬送ガイド部と対向する端部から前記接続側搬送ガイド部側に突出する
ことを特徴とする請求項４〜６のいずれかに記載の媒体処理装置。
【請求項８】
前記突起部は、
前記複数の爪体のうち、幅方向の両端に設けられた２つの爪体のそれぞれに設けられている
ことを特徴とする請求項７に記載の媒体処理装置。
【請求項９】
前記突起部は、
前記複数の爪体のうち、幅方向の中央に設けられた１つの爪体に設けられている
ことを特徴とする請求項７に記載の媒体処理装置。
【請求項１０】
前記接続側搬送ガイド部は、
前記第１搬送路の搬送方向の一端側にくわえて、他端側にも設けられ
前記搬送ガイド部は、
前記接続側搬送ガイド部の移動方向にスライド可能であり、前記第１搬送路の搬送方向の一端側に設けられた前記接続側搬送ガイド部と他端側に設けられた前記接続側搬送ガイド部のそれぞれの位置に応じて回動及びスライドすることで、前記第１搬送路の一端を当該一端側に位置する前記接続側搬送ガイド部の前記第２搬送路と接続させるとともに、前記第１搬送路の他端を当該他端側に位置する前記接続側搬送ガイド部の前記第２搬送路と接続させる
ことを特徴とする請求項１〜９のいずれかに記載の媒体処理装置。
【請求項１１】
前記接続側搬送ガイド部の移動方向に間隔を空けて配置された複数の前記接続側搬送ガイド部と、
前記複数の接続側搬送ガイド部のそれぞれと対応する位置に配置された複数の前記搬送ガイド部と
を備え、
前記複数の搬送ガイド部は、それぞれ前記第１搬送路の搬送方向における前記位置決め手段の位置が等しく、且つそれぞれ前記第１搬送路の幅方向における前記位置決め手段の位置が等しい
ことを特徴とする請求項１〜１０のいずれかに記載の媒体処理装置。
【請求項１２】
所定の間隔を空けて対向する２つのガイド面の間に媒体の第１搬送路を形成する搬送ガイド部と、前記搬送ガイド部と連結することで、前記第１搬送路と接続される第２搬送路を形成する接続側搬送ガイド部とを有し、前記搬送ガイド部は、回動軸を中心に回動可能であり、さらに前記搬送ガイド部には、前記接続側搬送ガイド部と係合して前記接続側搬送ガイド部との間の位置を規定する位置決め手段が設けられ、当該位置決め手段が前記接続側搬送ガイド部と係合する際に、前記搬送ガイド部が前記接続側搬送ガイド部の位置に応じて回動する媒体処理装置を備え、
前記媒体処理装置により前記媒体を各部へと搬送する
ことを特徴とする媒体取引装置。
【発明の詳細な説明】
【技術分野】
【０００１】
本発明は、媒体処理装置及び媒体取引装置に関するものであり、例えば、顧客に紙幣等の媒体を投入させて所望の取引を行う現金自動預払機（ＡＴＭ：Automatic Teller Machine）に適用して好適なものである。
【背景技術】
【０００２】
従来の現金自動預払機は、例えば、図１５に示すように、筐体３００内部の下側に金庫３０１が配置され、筐体３００内部の金庫３０１の上側に上部紙幣機構３０２が配置されている。上部紙幣機構３０２は、筐体３００内部から筐体３００外部に引き出される方向（これを引出方向と呼ぶ）、及び筐体３００外部から筐体３００内部に収納される方向（これを収納方向と呼ぶ）に移動可能となっている。またこの上部紙幣機構３０２には、紙幣を搬送する為の搬送路を形成する上部紙幣搬送部３０３などが設けられている。一方、金庫３０１内部には、搬送路を形成する金庫内紙幣搬送部３０４や紙幣カセット３０５などが設けられている。さらに、金庫３０１の上端部には、上部紙幣搬送部３０３と金庫内紙幣搬送部３０４とを連結して上部紙幣搬送部３０３と金庫内紙幣搬送部３０４との間で紙幣を受け渡すように搬送する為の搬送路を形成する受渡搬送部３０６が設けられている。
【０００３】
このような構成の現金自動預払機では、上部紙幣機構３０２が筐体３００内部に収納されて固定される際に、上部紙幣搬送部３０３における受渡搬送部３０６との接続箇所が、受渡搬送部３０６の真上から引出方向又は収納方向にずれる場合がある。この為、現金自動預払機には、受渡搬送部３０６に対して上部紙幣搬送部３０３の接続箇所が引出方向又は収納方向にずれても、受渡搬送部３０６の搬送路を上部紙幣搬送部３０３の搬送路に接続できるようになっている。
【０００４】
具体的に、受渡搬送部３０６は、搬送路を形成する搬送ガイド部と、搬送ガイド部の幅方向（図中奥行き方向）の一端の外側に設けられた回転制御レバーとを有していて、この回転制御レバーが押圧されることにともなって、搬送ガイド部を引出方向又は収納方向に傾くように回転させることができるようになっている。一方で、上部紙幣機構３０２は、受渡搬送部３０６の搬送ガイド部と連結する搬送ガイド部と、この搬送ガイド部の幅方向の一端の外側に設けられた、受渡搬送部３０６の回転制御レバーを押圧する為の押付アームとを有している。
【０００５】
そして、現金自動預払機は、上部紙幣機構３０２が筐体３００内部に収納されて固定される際、上部紙幣機構３０２の押付アームが、受渡搬送部３０６の回転制御レバーを押圧する。このとき、受渡搬送部３０６は、上部紙幣搬送部３０３の引出方向又は収納方向のずれに応じて搬送ガイド部が引出方向又は収納方向に傾くように回転することで、搬送ガイド部が上部紙幣搬送部３０３の搬送ガイド部に追従して連結する。こうすることで、従来の現金自動預払機は、受渡搬送部３０６に対して上部紙幣搬送部３０３の接続箇所が引出方向又は収納方向にずれていても、受渡搬送部３０６の搬送路を上部紙幣搬送部３０３の搬送路に接続することができるようになっていた（例えば特許文献１参照）。
【先行技術文献】
【特許文献】
【０００６】
【特許文献１】特開２０１３−２４２６０８号公報
【発明の概要】
【発明が解決しようとする課題】
【０００７】
しかしながら、従来の現金自動預払機は、回転制御レバーと押付アームを受渡搬送部３０６の搬送ガイド部の幅方向の一端の外側に設ける必要があり、この為、これらを内部に実装する筐体３００のサイズを幅方向に広げなければならなかった。
【０００８】
また、従来の現金自動預払機では、受渡搬送部３０６を引出方向及び収納方向に複数個設けた場合、受渡搬送部３０６ごとに設けられた回転制御レバーを、受渡搬送部３０６ごとに設けられた押付アームによって、それぞれ別々に押圧しなければならない。この為、受渡搬送部３０６を複数個設ける場合には、受渡搬送部３０６ごとに設けられた回転制御レバー及び押付アームを、幅方向にずらして配置しなければならず、より一層、筐体３００のサイズを幅方向に広げなければならなかった。このように、従来の現金自動預払機では、受渡搬送部の搬送ガイド部を上部紙幣搬送部の搬送ガイド部に追従させてそれぞれの搬送路を接続する為には、筐体を幅方向に広げなければならず、装置が大型化する要因となっていた。
【０００９】
本発明は以上の点を考慮してなされたもので、従来と比して小型でありながら、搬送路同士を確実に接続できるようにした媒体処理装置及び媒体取引装置を提案しようとするものである。
【課題を解決するための手段】
【００１０】
かかる課題を解決するため本発明においては、所定の間隔を空けて対向する２つのガイド面の間に媒体の第１搬送路を形成する搬送ガイド部と、前記搬送ガイド部と連結することで、前記第１搬送路と接続される第２搬送路を形成する接続側搬送ガイド部とを設け、前記搬送ガイド部は、回動軸を中心に回動可能であり、さらに前記搬送ガイド部には、前記接続側搬送ガイド部と係合して前記接続側搬送ガイド部との間の位置を規定する位置決め手段が設けられ、当該位置決め手段が前記接続側搬送ガイド部と係合する際に、前記搬送ガイド部が前記接続側搬送ガイド部の位置に応じて回動するようにした。
【００１１】
本発明は、搬送ガイド部の位置決め手段が接続側搬送ガイド部と係合する際に、搬送ガイド部が接続側搬送ガイド部の位置に応じて回動することで、搬送ガイド部側の第１搬送路を、接続側搬送ガイド部側の第２搬送路に確実に接続できる。さらに、本発明は、搬送ガイド部の幅方向の一端の外側などに別途、搬送ガイド部を回動させる手段を設ける必要がない為、従来と比べて、装置を小型化することができる。
【発明の効果】
【００１２】
本発明によれば、従来と比して小型でありながら、搬送路同士を確実に接続できるようにした媒体処理装置及び媒体取引装置を実現できる。
【図面の簡単な説明】
【００１３】
【図１】現金自動預払機の構成を示す斜視図である。
【図２】紙幣入出金機の構成を示す側面図である。
【図３】紙幣入出金機における上部ユニット及び下部フレームのスライドを示す側面図である。
【図４】搬送部の構成を示す側面図である。
【図５】紙幣カセットの上部の構成を示す三面図である。
【図６】下側溝に下側ローラが入り込んで嵌合された様子を示す側面図である。
【図７】搬送部の下部の構成を示す三面図である。
【図８】受渡搬送部の構成を示す斜視図である。
【図９】受渡搬送部の構成を示す前面図及び側面図である。
【図１０】受渡搬送部の動作を示す側面図である。
【図１１】他の実施の形態による受渡搬送部の構成を示す前面図である。
【図１２】他の実施の形態による受渡搬送部の構成を示す側面図である。
【図１３】他の実施の形態による受渡搬送部の構成を示す側面図である。
【図１４】他の実施の形態による受渡搬送部の構成を示す側面図である。
【図１５】従来の現金自動預払機の構成を示す側面図である。
【発明を実施するための形態】
【００１４】
以下、発明を実施するための形態（以下実施の形態とする）について、図面を用いて説明する。
【００１５】
［１．現金自動預払機及び紙幣入出金機の構成］
図１に外観を示すように、現金自動預払機１は、箱状の筐体２を中心に構成されており、例えば金融機関等に設置され、利用者（すなわち金融機関等の顧客）との間で入金取引や出金取引等の現金に関する取引を行うようになっている。
【００１６】
筐体２は、その前側に顧客が対峙した状態で紙幣の投入やタッチパネルによる操作等をしやすい箇所に顧客応対部３が設けられている。顧客応対部３は、カード入出口４、入出金口５、操作表示部６、テンキー７、及びレシート発行口８が設けられており、顧客との間で現金や通帳等を直接やり取りすると共に、取引に関する情報の通知や操作指示の受付を行うようになっている。
【００１７】
カード入出口４は、キャッシュカード等の各種カードが挿入または排出される部分である。カード入出口４の筐体内側には、各種カードに磁気記録された口座番号等の読み取りを行うカード処理部（図示せず）が設けられている。入出金口５は、顧客により入金する紙幣が投入されると共に、顧客へ出金する紙幣が排出される部分である。また入出金口５は、シャッタを駆動することにより開放又は閉塞するようになっている。
【００１８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００１９】
以下では、現金自動預払機１のうち顧客が対峙する側を前側とし、その反対を後側とし、当該前側に対峙した顧客から見て左及び右をそれぞれ左側及び右側とし、さらに上側及び下側を定義して説明する。
【００２０】
筐体２内には、現金自動預払機１全体を統括制御する主制御部９や、紙幣に関する種々の処理を行う紙幣入出金機１０等が設けられている。主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等に関する種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２１】
紙幣入出金機１０は、図２に側面図を示すように、後側が開放された直方体形状の筐体１１の内部に、紙幣に関する種々の処理を行う複数の部分が組み込まれている。尚、現金自動預払機１は、筐体２の後側が開閉可能な扉となっており、この扉を開放することで、外部から紙幣入出金機１０へのアクセスが可能となる。
【００２２】
紙幣入出金機１０は、大きく分けて、筐体１１における上下方向のほぼ中央よりも上側部分を占める上部ユニット１０Ｕと、その下側部分を占める下部ユニット１０Ｌとにより構成されている。
【００２３】
上部ユニット１０Ｕには、全体を統括制御する紙幣制御部１２、顧客との間で紙幣を授受する入出金部１３、図中太線で示す搬送路を介して紙幣を各部へ搬送する搬送部１４、紙幣を鑑別する鑑別部１５及び紙幣を一時的に収納する一時保留部１６が設けられている。この上部ユニット１０Ｕは、前後方向に延びるスライドレール１７を介して筐体１１に取り付けられている。この為、紙幣入出金機１０は、筐体２の後側の扉が開放された状態で、スライドレール１７を伸縮させながら上部ユニット１０Ｕを前後方向（すなわち収納方向及び引出方向）へスライドさせることで、図２に示すように、上部ユニット１０Ｕを筐体１１の内部に収納した状態と、図３（Ａ）に示すように、筐体１１の後側に引き出した状態とに遷移させることができるようになっている。
【００２４】
一方、下部ユニット１０Ｌは、直方体形状の金庫筐体２０により覆われていて、この金庫筐体２０の内部に、前後方向に延びるスライドレール２１を介して下部フレーム２２が取り付けられている。この下部フレーム２２は、５個の紙幣カセット２３（２３Ａ〜２３Ｅ）並びにリジェクトカセット２４を、後側から前側へ向けて順次整列させるようにして着脱可能に保持する。この為、紙幣入出金機１０は、筐体２の後側の扉が開放された状態で、スライドレール２１を伸縮させながら下部フレーム２２を前後方向（すなわち収納方向及び引出方向）へスライドさせることで、図２に示すように、紙幣カセット２３（２３Ａ〜２３Ｅ）及びリジェクトカセット２４を下部フレーム２２とともに筐体１１の内部に収納した状態と、図３（Ｂ）に示すように、筐体１１の後側に引き出した状態とに遷移させることができるようになっている。
【００２５】
さらに、金庫筐体２０の上面には、金庫筐体２０内部に収納された紙幣カセット２３（２３Ａ〜２３Ｅ）及びリジェクトカセット２４のそれぞれの上面と対向する位置に上下方向に貫通する孔が設けられ、各孔の内側に受渡搬送部２５（２５Ａ〜２５Ｆ）が配置されている。また、上部ユニット１０Ｕの搬送部１４には、複数の受渡搬送部２５（２５Ａ〜２５Ｆ）のそれぞれに向かって延びる搬送路が形成されている。複数の受渡搬送部２５（２５Ａ〜２５Ｆ）は、それぞれ上部ユニット１０Ｕの搬送路と紙幣カセット２３（２３Ａ〜２５Ｅ）及びリジェクトカセット２４との間を接続する搬送路を形成している。現金自動預払機１は、この受渡搬送部２５（２５Ａ〜２５Ｆ）を介して、上部ユニット１０Ｕの搬送路と、下部ユニット１０Ｌの紙幣カセット２３（２３Ａ〜２３Ｆ）及びリジェクトカセット２４との間で紙幣を受け渡すようになっている。
【００２６】
ここで、上部ユニット１０Ｕについてさらに詳しく説明する。上部ユニット１０Ｕの紙幣制御部１２は、図示しないＣＰＵと、ＲＯＭ、ＲＡＭ及びフラッシュメモリ等でなる記憶部とにより構成されている。このうちＣＰＵは、記憶部から各種プログラムを読み出して実行することにより、取引に関する種々の処理を行う。
【００２７】
入出金部１３（図２）は、上部ユニット１０Ｕ内における前上部に位置している。この入出金部１３は、顧客から受け取った紙幣及び顧客へ引き渡す紙幣を収容する収容器１３Ａを内部に有しており、その上方をシャッタ１３Ｂにより開放又は閉塞する。またシャッタ１３Ｂは、筐体２に設けられた入出金口５（図１）のシャッタと連動して開放又は閉塞する。この入出金部１３は、入金取引等において顧客により収容器１３Ａ内に紙幣が投入されると、シャッタ１３Ｂを閉塞した後、収容器１３Ａ内の紙幣を１枚ずつに分離し、搬送部１４に順次引き渡す。また入出金部１３は、出金取引等において搬送部１４により搬送されてくる紙幣を順次受け取り、収容器１３Ａ内に順次放出して集積させた後、シャッタ１３Ｂを開放して顧客に受け取らせる。
【００２８】
搬送部１４は、上部ユニット１０Ｕ内における下端部分に位置しており、全体的に上下方向に薄く前後方向に細長い形状となっている。この搬送部１４内には、紙幣を案内する搬送ガイドや多数の回転するローラ等が適宜配置されており、紙幣の短辺を進行方向に沿わせて、主に前後方向へ搬送させるような直線状の搬送路が形成されている。この搬送部１４は、図４に拡大図を示すように、大きく分けて、中央付近に配置された一時保留切替部３０と、当該一時保留切替部３０の前側及び後側にそれぞれ配置された前搬送部３１及び後搬送部３２とにより構成されている。一時保留切替部３０は、いわゆる３ウェイの切替となっており、紙幣制御部１２の制御に基づき、前搬送部３１、後搬送部３２及び一時保留部１６の間で紙幣を搬送するよう、紙幣の搬送経路を３通りに切り替える。
【００２９】
また、搬送部１４内には、一時保留切替部３０の他に複数の切替部が配置されている。各切替部は、回動可能なブレード（図中に三角形で示す）及びその周囲に配置された回転可能な複数のローラ（図示せず）により構成されている。この切替部は、紙幣制御部１２の制御に従い、各紙幣の搬送先に応じてブレードの傾斜方向を変化させると共に各ローラを所定の回転方向へ回転させることにより、紙幣の搬送方向を適宜切り替えて所望の搬送先へ搬送する。
【００３０】
前搬送部３１内には、前方から順に、リジェクト切替部３３、鑑別部１５及び切替部３４が直列に配置されており、前後方向に沿った略直線状の前搬送路３１Ａが形成されている。さらに、前搬送部３１内には、リジェクト切替部３３が配置された箇所で前搬送路３１Ａから分岐して下方へと延びる前搬送路３１Ｂと、切替部３４が配置された箇所で前搬送路３１Ａから分岐して下方へと延びる前搬送路３１Ｃとが形成されている。前搬送路３１Ｂは、リジェクトカセット２４の上方に配置された受渡搬送部２５Ｆへと延び、前搬送路３１Ｃは、紙幣カセット２３Ｅの上方に配置された受渡搬送部２５Ｅへと延びている。リジェクト切替部３３及び切替部３４は、それぞれ紙幣制御部１２の制御に基づいて紙幣の搬送経路を適宜切り替えるようになっている。
【００３１】
後搬送部３２内には、前方から順に、切替部３５、３６、３７がほぼ直列に配置されており、前後方向に沿った略直線状の後搬送路３２Ａが形成されている。さらに、後搬送部３２内には、切替部３５、３６、３７が配置された箇所でそれぞれ後搬送路３２Ａから分岐して下方へと延びる後搬送路３２Ｂ、３２Ｃ、３２Ｄと、後搬送路３２Ａの後端から下方へと延びる後搬送路３２Ｅとが形成されている。後搬送路３２Ｂ、３２Ｃ、３２Ｄ、３２Ｅは、それぞれ紙幣カセット２３Ｄ、２３Ｃ、２３Ｂ、２３Ａの上方に配置された受渡搬送部２５Ｄ、２５Ｃ、２５Ｂ、２５Ａへと延びている。切替部３５、３６、３７は、それぞれ紙幣制御部１２の制御に基づいて紙幣の搬送経路を適宜切り替えるようになっている。また搬送部１４は、前搬送路３１Ａ及び後搬送路３２Ａ上に数枚程度の紙幣を貯留できるようにもなっている。
【００３２】
鑑別部１５（図２及び図４）は、前搬送部３１内に組み込まれており、前搬送路３１Ａ上で入出金部１３と一時保留切替部３０との間に位置している。この鑑別部１５は、内部に厚みセンサ、イメージセンサ及び磁気センサといった複数種類のセンサが組み込まれており、各センサにより各紙幣から種々の情報を読み取り、得られた情報（以下これを読取情報と呼ぶ）を紙幣制御部１２（図２）へ供給する。
【００３３】
これに応じて紙幣制御部１２は、各紙幣の状態を判定し、当該紙幣が正常であり受入可能であるか、或いは異常であり利用者に返却すべきであるかを決定する。具体的に紙幣制御部１２は、得られた読取情報を基に、各紙幣における搬送状態並びに金種や損傷の程度、或いは真偽等を判定し、このときの判定結果を基に各紙幣の搬送先を決定して、搬送部１４の各切替部や各搬送路における搬送動作を制御する。
【００３４】
一時保留部１６（図２）は、いわゆるテープエスクロ方式を採用しており、円筒状のドラムの周側面に紙幣をテープと共に巻き付けることで当該紙幣を一時的に貯留し、またこの周側面から当該テープを引き剥がすことで紙幣を繰り出す。
【００３５】
ここで、下部ユニット１０Ｌについてさらに詳しく説明する。下部ユニット１０Ｌの紙幣カセット２３（２３Ａ〜２３Ｅ）は、何れも同様に構成されており、上下方向に長い直方体状に形成され、内部に紙幣を集積して収納する。また各紙幣カセット２３（２３Ａ〜２３Ｅ）は、それぞれ収納すべき紙幣の金種が予め設定されている。紙幣カセット２３（２３Ａ〜２３Ｅ）は、鑑別部１５及び紙幣制御部１２により損傷の程度が小さく再利用が可能であると判定された紙幣が、その金種に応じて搬送部１４から受渡搬送部２５Ａ〜２５Ｅを介して搬送されてくると、当該紙幣を内部に集積して収納する。また紙幣カセット２３（２３Ａ〜２３Ｅ）は、紙幣制御部１２から紙幣を繰り出す指示を受け付けると、集積している紙幣を１枚ずつ分離して繰り出し、受渡搬送部２５Ａ〜２５Ｅを介して搬送部１４へ引き渡す。
【００３６】
リジェクトカセット２４は、上下方向に長い直方体状に形成されると共に内部に紙幣を集積して収納する空間を有している。このリジェクトカセット２４は、鑑別部１５及び紙幣制御部１２により損傷の程度が大きく再利用すべきで無いと判定された紙幣（いわゆるリジェクト紙幣）が搬送部１４から受渡搬送部２５Ｆを介して搬送されてくると、当該紙幣を内部に収納する。
【００３７】
［２．入金処理及び出金処理］
次に、現金自動預払機１により利用者（金融機関の顧客）との間で入金取引及び出金取引が行われる場合における、紙幣入出金機１０内での入金処理及び出金処理について説明する。このうち入金処理については、前段の入金計数処理と、後段の入金収納処理に分けて説明する。
【００３８】
［２−１．入金計数処理］
紙幣入出金機１０は、入金処理において、紙幣制御部１２の制御に基づき、先に入金された紙幣の金種等を鑑別しながら枚数を計数する入金計数処理を行い、次に紙幣を適切な収納箇所へ搬送して収納する入金収納処理を行うようになっている。
【００３９】
具体的に紙幣制御部１２は、例えば顧客により操作表示部６（図１）を介して入金処理を開始する旨の操作入力を受け付けると、入金計数処理を開始し、入出金部１３の内部へ紙幣を投入させて１枚ずつに分離し、搬送部１４へ順次引き渡す。搬送部１４は、入出金部１３から受け取った紙幣をリジェクト切替部３３及び前搬送部３１により後方へ順次搬送し、前搬送路３１Ａに沿って後方へ進行させながら、鑑別部１５により各紙幣を順次鑑別し、後側の一時保留切替部３０へ順次引き渡す。このとき鑑別部１５は、得られた鑑別結果を紙幣制御部１２へ送出する。
【００４０】
紙幣制御部１２は、取得した鑑別結果を基に、各紙幣における損傷の程度や金種、或いは真偽を判断する。次に紙幣制御部１２は、各紙幣について、正常な紙幣として認識できた場合は以降の処理を継続できる入金受入紙幣であると判断し、正常な紙幣として認識できない場合は、一度顧客に返却すべき入金リジェクト紙幣であると判断する。さらに紙幣制御部１２は、入金受入紙幣について、正常であり再利用可能な紙幣については金種ごとの各紙幣カセット２３（２３Ａ〜２３Ｅ）を、損傷の程度が大きいリジェクト紙幣についてはリジェクトカセット２４を、それぞれ最終的な搬送先として決定し、記憶しておく。
【００４１】
続いて紙幣制御部１２は、紙幣の判断結果に応じて一時保留切替部３０による紙幣の搬送先を切り替えることにより、入金受入紙幣を一時保留部１６へ搬送して収納させ、また入金リジェクト紙幣を後搬送部３２内へ進行させて後搬送路３２Ａ内に貯留させる。やがて紙幣制御部１２は、入出金部１３から全ての紙幣を取り込み終えると、後搬送部３２の後搬送路３２Ａ内に入金リジェクト紙幣が貯留されていれば、これを顧客に返却し、必要に応じて再投入させる。
【００４２】
一方、紙幣制御部１２は、後搬送部３２の後搬送路３２Ａ内に入金リジェクト紙幣が貯留されていなければ、入金計数処理を完了する。このとき紙幣制御部１２は、入出金部１３から取り込んだ紙幣の金種及び枚数の集計結果を基に入金額を算出すると共に、所定の操作指示画面を操作表示部６に表示し、この入金額を顧客に提示すると共に入金処理を継続するか否かを顧客に選択させる。ここで紙幣制御部１２は、顧客により入金処理の中止が指示された場合、一時保留部１６に保留している全ての紙幣を搬送部１４により入出金部１３へ搬送して顧客に返却する。
【００４３】
［２−２．入金収納処理］
紙幣制御部１２は、顧客により入金処理の継続が指示された場合、入金収納処理を開始する。具体的に紙幣制御部１２は、まず一時保留部１６において操出処理を開始し、収納している紙幣（入金受入紙幣）を順次繰り出し、一時保留切替部３０へ受け渡す。このとき紙幣制御部１２は、入金計数処理において決定された紙幣毎の搬送先に応じて、一時保留切替部３０による紙幣の搬送経路を切り替える。具体的に一時保留切替部３０は、紙幣の搬送先がリジェクトカセット２４又は紙幣カセット２３Ｅであれば、当該紙幣を前搬送部３１へ受け渡す。また一時保留切替部３０は、紙幣の搬送先が紙幣カセット２３Ａ〜２３Ｄであれば、当該紙幣を後搬送部３２へ受け渡す。
【００４４】
さらに紙幣制御部１２は、各紙幣の搬送先に応じて前搬送部３１及び後搬送部３２の各切替部を適宜制御することにより、再利用すべき通常の紙幣を金種ごとに分類して各紙幣カセット２３（２３Ａ〜２３Ｅ）に収納させ、また再利用すべきで無いリジェクト紙幣をリジェクトカセット２４に収納させる。
【００４５】
［２−３．出金処理］
紙幣入出金機１０は、出金処理において、紙幣制御部１２の制御に基づき、指定された金額に応じた金種及び枚数の紙幣を出金する出金処理を行うようになっている。以下では、搬送部１４の後搬送路３２Ａと接続される紙幣カセット２３Ａ〜２３Ｄに収納されている紙幣を出金する場合を例に説明する。
【００４６】
紙幣制御部１２は、顧客から操作表示部６（図１）を介して出金額を含む所定の操作入力を受け付け、出金額に応じた紙幣の金種及び枚数を決定する。続いて紙幣制御部１２は、決定した金種及び枚数に応じて、各紙幣カセット２３内に収納されている紙幣を順次繰り出し、搬送部１４に順次受け渡す。搬送部１４は、前搬送部３１内を前方へ向けて進行する紙幣の走行状態を鑑別部１５により鑑別し、その鑑別結果を紙幣制御部１２（図２）へ送出する。紙幣制御部１２は、紙幣の走行状態に応じてリジェクト切替部３３を切り替え、当該走行状態に問題が無ければ入出金部１３へ進行させ、例えば重送のように搬送状態に問題があればリジェクトカセット２４へ進行させて、それぞれ紙幣を収納させる。やがて紙幣制御部１２は、出金額に応じた全ての紙幣を入出金部１３へ搬送し終えると、顧客に取り出させる。
【００４７】
［３．受渡搬送部及びその周辺部の構成］
次に、受渡搬送部２５（２５Ａ〜２５Ｆ）と、その周辺部の構成について説明する。まず、受渡搬送部２５（２５Ａ〜２５Ｆ）の周辺部の構成として、受渡搬送部２５（２５Ａ〜２５Ｆ）のそれぞれの下方に位置する紙幣カセット２３（２３Ａ〜２３Ｅ）及びリジェクトカセット２４の上部の構成について説明する。尚、紙幣カセット２３（２３Ａ〜２３Ｅ）及びリジェクトカセット２４の上部の基本的な構成は同一の為、ここでは、紙幣カセット２３Ａの上部の構成についてのみ説明することとする。
【００４８】
図５に、紙幣カセット２３Ａの上部を上から見た上面図、前から見た前面図、左から見た側面図からなる三面図を示す。紙幣カセット２３Ａの上部は、左右方向（すなわち幅方向）の両端部４０Ｌ、４０Ｒを除く中央部４０Ｃが両端部４０Ｌ、４０Ｒよりも一段低く形成されていて、この中央部４０Ｃの後寄りに、受渡搬送部２５Ａとの間で搬送される紙幣をガイドするカセット側ガイド部４１が設けられている。カセット側ガイド部４１は、前側に配置された前側搬送ガイド４２と、後側に配置された後側搬送ガイド４３とを有している。前側搬送ガイド４２と後側搬送ガイド４３は、所定の間隔（例えば５［ｍｍ］）を空けて配置されていて、前側搬送ガイド４２と後側搬送ガイド４３との間に搬送空間４４Ｓを形成している。この搬送空間４４Ｓが、紙幣の紙面を前後方向に向けて、上下方向に搬送するカセット側搬送路４４となっている。つまり、このカセット側搬送路４４は、上下方向が搬送方向、左右方向が幅方向となっている。
【００４９】
後側搬送ガイド４３は、前面が平坦に形成された本体部４５の上端に爪部４６が設けられている。爪部４６には、左右方向（カセット側搬送路４４の幅方向）に沿って複数の爪体４７が離散的に、すなわち左右方向に所定の間隔でなる隙間４８を形成しながら配置されている。因みに爪部４６には、左右方向の長さが異なる複数種類の爪体４７が、所定の順序で配置されている。また、各爪体４７は、それぞれ直方体状に形成されており、それぞれの前面及び上面の位置が揃えられている。さらに、各爪体４７の前面は、本体部４５の前面と連続していて、さらに爪体４７の前側上端部は、角を切り落としたような傾斜面となっている。
【００５０】
一方、前側搬送ガイド４２は、後側搬送ガイド４３と前後対称の構成となっている。つまり、前側搬送ガイド４２も、左右方向に沿って所定の間隔でなる隙間４８を形成しながら配置された複数の爪体４７を有している。そして、前側搬送ガイド４２と後側搬送ガイド４３は、対向する後面と前面とが平行で、且つ左右方向及び上下方向に各爪体４７の位置が揃うようにして配置されている。尚、対向する前側搬送ガイド４２の後面及び後側搬送ガイド４３の前面は、それぞれ紙幣をガイドするガイド面となっている。
【００５１】
また、各爪体４７の隙間４８の底面は、紙幣カセット２３Ａの中央部４０Ｃの上面と同一面となっている。
【００５２】
さらに、紙幣カセット２３Ａの中央部４０Ｃの上面には、前側搬送ガイド４２の左右両端の隙間４８のそれぞれの前方近傍に、後述する受渡搬送部２５Ａの下側ローラ１０２が嵌合する前後方向に延びる溝（これを下側溝と呼ぶ）４９が形成されている。カセット側ガイド部４１は、前側搬送ガイド４２及び後側搬送ガイド４３とこの下側溝４９とで構成される。この下側溝４９は、図６に示すように、左右方向から見た断面が上底より下底が小さい逆台形状となっていて、受渡搬送部２５Ａの下側ローラ１０２が嵌合した際に、下側ローラ１０２の周側面が下側溝４９の底面とは接触せずに、下側溝４９の前後の斜面上の２箇所で接触するようになっている。このように下側ローラ１０２の周側面と下側溝４９とが２箇所で接触することにより、下側ローラ１０２は下側溝４９に対して前後方向にふらつくことがないように嵌合され、これにより下側ローラ１０２の前後方向の位置が決まる。
【００５３】
紙幣カセット２３Ａの上部の構成は、このような構成となっている。他の紙幣カセット２３Ｂ〜２３Ｅ、及びリジェクトカセット２４の上部の構成も、基本的に同様の構成となっている。尚、紙幣カセット２３Ａ〜２３Ｅ及びリジェクトカセット２４のそれぞれの上部に設けられたカセット側ガイド部４１は、下部フレーム２２にセットされた状態において、前後方向の位置は異なるが、左右方向の位置、及び上下方向の位置は等しくなっている。
【００５４】
次に、受渡搬送部２５（２５Ａ〜２５Ｆ）のそれぞれの上方に位置する搬送部１４の下部の構成について説明する。尚、受渡搬送部２５（２５Ａ〜２５Ｆ）のそれぞれの上方に位置する搬送部１４の下部の構成は、受渡搬送部２５（２５Ａ〜２５Ｆ）のそれぞれの下方に位置する紙幣カセット２３（２３Ａ〜２３Ｅ）及びリジェクトカセット２４の上部の構成と上下対称の構成となっている。
【００５５】
すなわち、図７の三面図に示すように、搬送部１４の下部は、左右方向（すなわち幅方向）の両端部６０Ｌ、６０Ｒを除く中央部６０Ｃが両端部６０Ｌ、６０Ｒよりも一段高く形成されている。そして、この中央部６０Ｃにおいて、受渡搬送部２５（２５Ａ〜２５Ｆ）のそれぞれの上方に、受渡搬送部２５（２５Ａ〜２５Ｆ）との間で搬送される紙幣をガイドする搬送部側ガイド部６１が設けられている。
【００５６】
受渡搬送部２５Ａ〜２５Ｆのそれぞれの上方に設けられた搬送部側ガイド部６１は、全て同一構成の為、ここでは、受渡搬送部２５Ａの上方に設けられた搬送部側ガイド部６１について説明する。搬送部側ガイド部６１は、カセット側ガイド部４１と同様、前側に配置された前側搬送ガイド６２と、後側に配置された後側搬送ガイド６３とを有している。前側搬送ガイド６２と後側搬送ガイド６３は、所定の間隔（例えば５［ｍｍ］）を空けて配置されていて、前側搬送ガイド６２と後側搬送ガイド６３との間の搬送空間６４Ｓが、紙幣の紙面を前後方向に向けて上下方向に搬送する搬送部側搬送路６４となっている。つまり、この搬送部側搬送路６４は、上下方向が搬送方向、左右方向が幅方向となっている。尚、この搬送部側搬送路６４が、図４に示した後搬送路３２Ｅである。
【００５７】
後側搬送ガイド６３は、前面が平坦に形成された本体部６５の下端に爪部６６が設けられている。爪部６６には、左右方向（搬送部側搬送路６４の幅方向）に沿って複数の爪体６７が離散的に、すなわち左右方向に所定の間隔でなる隙間６８を形成しながら配置されている。因みに爪部６６には、左右方向の長さが異なる複数種類の爪体６７が、所定の順序で配置されている。また、各爪体６７は、それぞれ直方体状に形成されており、それぞれの前面及び下面の位置が揃えられている。さらに、各爪体６７の前面は、本体部６５の前面と連続していて、さらに爪体６７の前側下端部は、角を切り落としたような傾斜面となっている。
【００５８】
一方、前側搬送ガイド６２は、後側搬送ガイド６３と前後対称の構成となっている。つまり、前側搬送ガイド６２も、左右方向に沿って所定の間隔でなる隙間６８を形成しながら配置された複数の爪体６７を有している。そして、前側搬送ガイド６２と後側搬送ガイド６３は、対向する後面と前面とが平行で、且つ左右方向及び上下方向に各爪体６７の位置が揃うようにして配置されている。尚、対向する前側搬送ガイド６２の後面及び後側搬送ガイド６３の前面は、それぞれ紙幣をガイドするガイド面となっている。
【００５９】
また、各爪体６７の隙間６８の天井面は、搬送部１４の中央部６０Ｃの下面と同一面となっている。
【００６０】
さらに、搬送部１４の中央部４０Ｃの下面には、搬送部側ガイド部６１の前側搬送ガイド６２の左右両端の隙間６８のそれぞれの前方近傍に、後述する受渡搬送部２５Ａの上側ローラ１００が嵌合する前後方向に延びる溝（これを上側溝と呼ぶ）６９が形成されている。搬送部側ガイド部６１は、前側搬送ガイド６２及び後側搬送ガイド６３とこの上側溝６９とで構成される。この上側溝６９は、図６に示した紙幣カセット２３Ａ側に設けられた下側溝４９と上下対称であり、左右方向から見た断面が台形状となっている。この上側溝６９も、下側溝４９と同様、受渡搬送部２５Ａの上側ローラ１００が嵌合した際に、上側ローラ１００が上側溝６９の天井面とは接触せずに、上側溝６９の前後の斜面上の２箇所で接触するようになっている。
【００６１】
受渡搬送部２５Ａの上方に設けられた搬送部側ガイド部６１の構成は、このようになっている。他の受渡搬送部２５Ｂ〜２５Ｆの上方に設けられた搬送部側ガイド部６１の構成も、基本的に同様の構成となっている。尚、受渡搬送部２５Ａ〜２５Ｆのそれぞれの上方に設けられた搬送部側ガイド部６１は、前後方向の位置は異なるが、左右方向の位置及び上下方向の位置は等しくなっている。
【００６２】
次に、受渡搬送部２５（２５Ａ〜２５Ｆ）の構成について説明する。尚、各受渡搬送部２５Ａ〜２５Ｆの基本的な構成は、全て同一の為、ここでは、紙幣カセット２３Ａの上方に設けられた受渡搬送部２５Ａの構成についてのみ説明することとする。
【００６３】
図８に受渡搬送部２５Ａの斜視図、図９（Ａ）に受渡搬送部２５Ａを前から見た前面図、図９（Ｂ）に受渡搬送部２５Ａを左から見た側面図を示す。尚、図９（Ｂ）は、受渡搬送部２５Ａの内部構造を分かり易くする為、一部（後述する受渡フレーム８０）を省略するとともに、内部（後述する上側ローラ１００及び下側ローラ１０２の部分）を露出させた図となっている。
【００６４】
図８、図９に示すように、受渡搬送部２５Ａは、薄板状の受渡フレーム８０に各部品が取り付けられた構成となっていて、この受渡フレーム８０が、金庫筐体２０の上面に設けられた孔の内側に取り付けられている。受渡フレーム８０の中央には、左右方向に長く上下方向に貫通する孔８０Ｈが形成されている。この孔８０Ｈの内側に、受渡ガイド部８１が取り付けられている。
【００６５】
受渡ガイド部８１は、孔８０Ｈの前寄りに位置する前側搬送ガイド８２と、孔８０Ｈの後寄りに位置する後側搬送ガイド８３とを有している。後側搬送ガイド８３は、前側搬送ガイド８２との間に所定の間隔（例えば５［ｍｍ］）でなる搬送空間８４Ｓを形成した状態で、前側搬送ガイド８２が取り付けられている。この搬送空間８４Ｓは、紙幣の紙面を前後方向に向け、上下方向に沿って搬送する受渡搬送路８４となっている。つまり、この受渡搬送路８４は、上下方向が搬送方向、左右方向が幅方向となっている。
【００６６】
後側搬送ガイド８３は、前後方向の長さが孔８０Ｈの前後方向の長さの半分よりわずかに短く、上下方向の長さが孔８０Ｈの上下方向の長さよりわずかに長く、左右方向の長さが孔８０Ｈの左右方向よりわずかに短い直方体状の本体部８５を中心に構成されている。本体部８５は、左右両端部の側面に、前後方向に延びる溝８５Ｇ（図９（Ｂ））が形成されていて、この溝８５Ｇに、受渡フレーム８０に固定された円柱状の回動軸８０Ｐが挿入されている。この為、後側搬送ガイド８３は、前側搬送ガイド８２との間に受渡搬送路８４を形成した状態のまま前側搬送ガイド８２とともに、受渡フレーム８０に対して、図９（Ｂ）に示す基準位置から前後方向にスライドでき、且つ回動軸８０Ｐを中心に図９（Ｂ）中時計回り方向及び反時計回り方向に回動して前後方向に傾くことができるようになっている。これにより、受渡ガイド部８１は、受渡搬送路８４を基準位置から前後方向にスライドさせたり、前後方向に傾けたりすることができる。尚、対向する前側搬送ガイド８２の後面と後側搬送ガイド８３の前面は、常に平行であり、それぞれ紙幣をガイドするガイド面となっている。
【００６７】
さらに、後側搬送ガイド８３の本体部８５は、下端に爪部８６が形成されている。この爪部８６には、左右方向（つまり受渡搬送路８４の幅方向）に沿って複数の爪体８７が隙間８８を空けて離散的に配置されている。各爪体８７は、小さな直方体状に形成されており、それぞれの前面及び下面の位置を互いに揃えている。
【００６８】
下側の各爪体８７の左右方向の位置及び長さは、受渡搬送部２５Ａの下方に位置するカセット側ガイド部４１に形成された各爪体４７と相補的に定められている。すなわち、受渡ガイド部８１における後側搬送ガイド８３の各爪体８７の左右方向の位置及び長さは、カセット側ガイド部４１の各隙間４８とそれぞれ対応していて、受渡ガイド部８１における後側搬送ガイド８３の各隙間８８の左右方向に関する位置及び長さは、カセット側ガイド部４１の各爪体４７とそれぞれ対応している。
【００６９】
前側搬送ガイド８２は、後側搬送ガイド８３とほぼ前後対称に構成されていて、本体部８５の下端に爪部８６が形成されている。この爪部８６には、後側搬送ガイド８３と同様、左右方向に関し、カセット側ガイド部４１の各爪体４７と相補的な位置及び長さとなるように、複数の爪体８７が左右方向に沿って隙間８８を空けて離散的に配置されている。尚、図９（Ｂ）に示すように、受渡ガイド部８１の各爪体８７の前後方向の長さは、カセット側ガイド部４１の各爪体４７よりも長くなっている。
【００７０】
さらに、前側搬送ガイド８２及び後側搬送ガイド８３のそれぞれの本体部８５の上端には、爪部８６と上下対称に構成された爪部９６が設けられている。この爪部９６には、下側の各爪体８７とそれぞれ上下対称な形状でなる複数の爪体９７が、左右方向に沿って隙間９８を空けて離散的に配置されている。各爪体９７は、小さな直方体状に形成されており、それぞれの前面及び上面の位置を互いに揃えている。
【００７１】
上側の各爪体９７の左右方向の位置及び長さは、受渡搬送部２５Ａの上方に位置する搬送部側ガイド部６１に形成された各爪体６７と相補的に定められている。すなわち、受渡ガイド部８１における上側の各爪体９７の左右方向の位置及び長さは、搬送部側ガイド部６１の各隙間６８とそれぞれ対応していて、受渡ガイド部８１における上側の各隙間９８の左右方向に関する位置及び長さは、搬送部側ガイド部６１の各爪体６７とそれぞれ対応している。尚、図９（Ｂ）に示すように、受渡ガイド部８１の各爪体９７の前後方向の長さは、カセット側ガイド部４１の各爪体６７よりも長くなっている。
【００７２】
よって、受渡搬送部２５Ａは、筐体１１内に下部フレーム２２とともに紙幣カセット２３（２３Ａ〜２３Ｅ）及びリジェクトカセット２４が収納されたときには、図９（Ａ）に示すように、下側の各爪体８７が、紙幣カセット２３Ａのカセット側ガイド部４１に形成された隙間４８に入り込むとともに、下側の各隙間８８に、カセット側ガイド部４１に形成された爪体４７が入り込むようになっている。このようにして受渡ガイド部８１とカセット側ガイド部４１が連結される。
【００７３】
さらに、受渡搬送部２５Ａは、筐体１１内に上部ユニット１０Ｕが収納されたときには、上側の各爪体９７が、搬送部１４の搬送部側ガイド部６１に形成された隙間６８に入り込むとともに、上側の各隙間９８に、搬送部側ガイド部６１に形成された爪体６７が入り込むようになっている。このようにして受渡ガイド部８１と搬送部側ガイド部６１が連結される。
【００７４】
このように、受渡ガイド部８１とカセット側ガイド部４１及び搬送部側ガイド部６１とが連結されることにより、受渡搬送部２５Ａの受渡搬送路８４の上端が搬送部１４側の搬送部側搬送路６４の下端と接続され、受渡搬送路８４の下端が紙幣カセット２３Ａ側のカセット側搬送路４４の上端と接続されるようになっている。
【００７５】
さらに、受渡搬送部２５Ａの前側搬送ガイド８２は、上側の爪体９７のうち、左右両端の爪体９７の内部の前側（すなわちガイド面とは反対側）に、爪体９７より薄い円盤状の上側ローラ１００が、爪体９７の上面（すなわち搬送部側ガイド部６１と対向する面）の前側に設けられた孔から一部が上方に（すなわち搬送部側ガイド部６１側に）突出するようにして取り付けられている。爪体９７内部の左右両側面には、上下方向に延びる溝９７Ｇ（図９（Ｂ））が形成されていて、この溝９７Ｇに、上側ローラ１００に設けられた左右方向に延びる円柱状の回動軸１００Ｐの両端がそれぞれ挿入されている。この為、上側ローラ１００は、爪体９７に対して、上下方向（すなわち受渡搬送路８４の搬送方向）にスライドでき、且つ左右方向（すなわち受渡搬送路８４の幅方向）に平行な回動軸１００Ｐを中心に回動できるようになっている。さらに、上側ローラ１００は、爪体９７の内部に設けられたバネなどの付勢部材１０１により上方（すなわち搬送部側ガイド部６１側に）に付勢されている。
【００７６】
さらに、前側搬送ガイド８２の下側の爪体８７のうち、左右両端の爪体８７の内部の前側にも、同様の下側ローラ１０２が、爪体８７の下面面（すなわちカセット側ガイド部４１と対向する面）の前側に設けられた孔から一部が下方に（すなわちカセット側ガイド部４１側に）突出するようにして取り付けられている。爪体８７内部の左右両側面にも、上下方向に延びる溝８７Ｇが形成されていて、この溝８７Ｇに、下側ローラ１０２に設けられた左右方向に延びる円柱状の回動軸１０２Ｐの左右両端がそれぞれ挿入されている。この為、下側ローラ１０２は、爪体８７に対して、上下方向にスライドでき、且つ左右方向に平行な回動軸１０２Ｐを中心に回動できるようになっている。さらに、下側ローラ１０２は、爪体８７の内部に設けられたバネなどの付勢部材１０１により下方（すなわちカセット側ガイド部４１側）に付勢されている。
【００７７】
受渡搬送部２５Ａの受渡ガイド部８１の下側の左右両端に位置する下側ローラ１０２は、図９に示すように、カセット側ガイド部４１の左右両端の下側溝４９に嵌合することで、受渡ガイド部８１とカセット側ガイド部４１との間の前後方向の位置を規定するようになっている。一方、受渡ガイド部８１の上側の左右両端に位置する上側ローラ１００は、搬送部側ガイド部６１の左右両端の上側溝６９に嵌合することで、受渡ガイド部８１と搬送部側ガイド部６１との間の前後方向の位置を規定するようになっている。
【００７８】
受渡搬送部２５Ａの構成は、このようになっている。他の受渡搬送部２５Ｂ〜２５Ｆの構成も、基本的に同様の構成となっている。尚、受渡搬送部２５Ａ〜２５Ｆがそれぞれ有する受渡ガイド部８１は、前後方向の位置は異なるが、左右方向の位置及び上下方向の位置は等しくなっている。
【００７９】
［４．受渡搬送部の動作］
次に、筐体１１内に上部ユニット１０Ｕを収納するとき、及び筐体１１内に下部フレーム２２とともに紙幣カセット２３（２３Ａ〜２３Ｅ）及びリジェクトカセット２４を収納するときの受渡搬送部２５（２５Ａ〜２５Ｆ）の動作について説明する。
【００８０】
筐体１１から上部ユニット１０Ｕが後方（すなわち受渡搬送路８４の搬送方向及び幅方向と直交する方向）に引き出され、且つ筐体１１から下部フレーム２２とともに紙幣カセット２３（２３Ａ〜２３Ｅ）及びリジェクトカセット２４が後方に引き出されたとき、受渡搬送部２５（２５Ａ〜２５Ｆ）は、それぞれ金庫筐体２０に対して、前後方向（すなわち引出方向及び収納方向）にスライド可能で、且つ左右方向に平行な回動軸８０Ｐを中心に回動可能な状態となっている。さらに、受渡搬送部２５（２５Ａ〜２５Ｆ）は、２個の上側ローラ１００が上側の爪体９７の上面から上方に突出しているとともに、２個の下側ローラ１０２が下側の爪体８７の下面から下方に突出している状態となっている。
【００８１】
ここで、例えば、筐体１１内部に上部ユニット１０Ｕを収納する為に、筐体１１の後方から上部ユニット１０Ｕが筐体１１内部へと前方に押し込まれていくとする。このとき、例えば、一番後側の受渡搬送部２５Ａは、まず、左右２個の上側ローラ１００が、上部ユニット１０Ｕに配置された搬送部１４の中央部６０Ｃの下面と接触して、この下面により爪体９７の内部へと押し込まれる。このまま、上部ユニット１０Ｕが押し込まれると、左右２個の上側ローラ１００は、爪体９７の内部に押し込まれた状態のまま回転する。
【００８２】
その後、搬送部１４の一番前側に配置されている搬送部側ガイド部６１の左右２個の上側溝６９が、一番後側の受渡搬送部２５Ａの左右２個の上側ローラ１００に到達すると、このとき、左右２個の上側ローラ１００が、左右２個の上側溝６９に入り込んで嵌合する。これにより、一番後側の受渡搬送部２５Ａの上方に、一番前側の搬送部側ガイド部６１が位置する状態で、受渡搬送部２５Ａの受渡ガイド部８１の前後方向の位置が一旦規定される。このとき、一番後側の受渡搬送部２５Ａと、一番前側の搬送部側ガイド部６１とが連結された状態となる。
【００８３】
この時点では、まだ上部ユニット１０Ｕの収納が完了していない為、さらに上部ユニット１０Ｕが筐体１１内部に押し込まれていく。すると、一番後側の受渡搬送部２５Ａの左右２個の上側ローラ１００は、一番前側の搬送部側ガイド部６１の左右２個の上側溝６９から離脱して、再び、搬送部１４の中央部６０Ｃの下面と接触して、この下面により爪体９７の内部へと押し込まれる。
【００８４】
そして、一番後側の受渡搬送部２５Ａは、左右２個の上側ローラ１００が、一番前側の搬送部側ガイド部６１につづく５個の搬送部側ガイド部６１のそれぞれの左右２個の上側溝６９に対して、順に嵌合と離脱を繰り返していき、上部ユニット１０Ｕが完全に収納されるまで押し込まれると、このとき、左右２個の上側ローラ１００が、１番後側の搬送部側ガイド部６１の左右２個の上側溝６９に入り込んで嵌合する。
【００８５】
同様に、他の５個の受渡搬送部２５Ｂ〜２５Ｆも、それぞれ左右２個の上側ローラ１００が、６個の搬送部側ガイド部６１のそれぞれの左右２個の上側溝６９に対する嵌合と離脱を繰り返していく（一番前の受渡搬送部２５Ｆの上側ローラ１００は嵌合のみ）。そして、最終的に、他の５個の受渡搬送部２５Ｂ〜２５Ｆは、それぞれ左右２個の上側ローラ１００が、１番後側の搬送部側ガイド部６１より前方に配置された５個の搬送部側ガイド部６１のそれぞれの左右２個の上側溝６９に入り込んで嵌合する。この時点で、搬送部１４の下部に設けられた６個の搬送部側ガイド部６１が、６個の受渡搬送部２５Ａ〜２５Ｆのそれぞれの上方に位置した状態で、受渡搬送部２５Ａ〜２５Ｆのそれぞれの受渡ガイド部８１の前後方向の位置が規定される。かくして、搬送部１４の下部に設けられた６個の搬送部側ガイド部６１が、６個の受渡搬送部２５Ａ〜２５Ｆのそれぞれと連結される。
【００８６】
一方で、筐体１１内部に下部フレーム２２とともに紙幣カセット２３（２３Ａ〜２３Ｅ）及びリジェクトカセット２４を収納する為に、筐体１１の後方から下部フレーム２２が筐体１１内部へと前方に押し込まれていくとする。
【００８７】
このとき、６個の受渡搬送部２５Ａ〜２５Ｆは、上部ユニット１０Ｕが収納されるときと同様、それぞれ左右２個の下側ローラ１０２が、６個のカセット側ガイド部４１のそれぞれの左右２個の下側溝４９に対する嵌合と離脱を繰り返していく（一番前の受渡搬送部２５Ｆの下側ローラ１０２は嵌合のみ）。そして、最終的に、６個の受渡搬送部２５Ａ〜２５Ｆは、それぞれ左右２個の下側ローラ１０２が、６個のカセット側ガイド部４１のそれぞれの左右２個の下側溝４９に入り込んで嵌合する。この時点で、紙幣カセット２３（２３Ａ〜２３Ｅ）及びリジェクトカセット２４のそれぞれの上部に設けられた６個のカセット側ガイド部４１が、６個の受渡搬送部２５Ａ〜２５Ｆのそれぞれの下方に位置した状態で、受渡搬送部２５Ａ〜２５Ｆのそれぞれの受渡ガイド部８１の前後方向の位置が規定される。かくして、紙幣カセット２３（２３Ａ〜２３Ｅ）及びリジェクトカセット２４のそれぞれの上部に設けられた６個のカセット側ガイド部４１が、６個の受渡搬送部２５Ａ〜２５Ｆのそれぞれと連結される。
【００８８】
ところで、現金自動預払機１では、筐体１１に上部ユニット１０Ｕを収納した際に、６個の搬送部側ガイド部６１の位置が、６個の受渡搬送部２５Ａ〜２５Ｆのそれぞれの基準位置にある受渡ガイド部８１の真上から前後方向にずれる場合がある。また、現金自動預払機１では、筐体１１に下部フレーム２２を収納した際に、６個のカセット側ガイド部４１の位置が、６個の受渡搬送部２５Ａ〜２５Ｆのそれぞれの基準位置にある受渡ガイド部８１の真下から前後方向にずれる場合がある。この為、受渡搬送部２５（２５Ａ〜２５Ｆ）は、搬送部側ガイド部６１の位置及びカセット側ガイド部４１の位置がそれぞれ前後方向にずれても、受渡搬送部２５（２５Ａ〜２５Ｆ）の受渡搬送路８４を、搬送部側ガイド部６１の搬送部側搬送路６４及びカセット側ガイド部４１のカセット側搬送路４４に接続できるようになっている。
【００８９】
すなわち、受渡搬送部２５（２５Ａ〜２５Ｆ）は、上述したように、受渡ガイド部８１を基準位置から前後方向にスライド可能で且つ回動軸８０Ｐを中心に回動して前後方向に傾けることが可能であり、これにより、上下方向に延びる受渡搬送路８４を前後方向にスライドさせたり、前後方向に傾けたりすることができるようになっている。
【００９０】
この為、例えば、受渡搬送部２５Ａは、上方の搬送部側ガイド部６１の位置が、基準位置にある受渡ガイド部８１の真上から前方にずれている場合、この搬送部側ガイド部６１の上側溝６９に入り込んだ上側ローラ１００が前方へ引っ張られることにより、受渡ガイド部８１が搬送部側ガイド部６１に追従して前方にスライドする、又は前方に傾く、もしくは前方にスライドして且つ前方に傾く。これにより、受渡搬送部２５Ａの受渡搬送路８４が搬送部側ガイド部６１の搬送部側搬送路６４に接続される。
【００９１】
また、例えば、受渡搬送部２５Ａは、下方のカセット側ガイド部４１の位置が、基準位置にある受渡ガイド部８１の真下から後方にずれている場合、このカセット側ガイド部４１の下側溝４９に下側ローラ１０２が入り込む際に、後方へ引っ張られることにより、受渡ガイド部８１がカセット側ガイド部４１に追従して後方にスライドする、又は後方に傾く、もしくは後方にスライドして且つ後方に傾く。これにより、受渡搬送部２５Ａの受渡搬送路８４がカセット側ガイド部４１のカセット側搬送路４４に接続される。
【００９２】
ここで、搬送部側ガイド部６１及びカセット側ガイド部４１のずれに応じた、受渡搬送部２５Ａの動作例を、図１０に示す。図１０（Ａ）は、搬送部側ガイド部６１が、基準位置にある受渡ガイド部８１の真上から前方にずれていて、且つカセット側ガイド部４１が、基準位置にある受渡ガイド部８１の真下から後方にずれている場合の例である。
【００９３】
この場合、受渡搬送部２５Ａは、受渡ガイド部８１が図中時計回り方向に回動して、搬送部側ガイド部６１の上側溝６９に上側ローラ１００が嵌合するとともに、カセット側ガイド部４１の下側溝４９に下側ローラ１０２が嵌合する。つまり、受渡ガイド部８１は、前後方向にずれている搬送部側ガイド部６１とカセット側ガイド部４１とを繋ぐように傾く。これにより、受渡ガイド部８１と、搬送部側ガイド部６１及びカセット側ガイド部４１とが連結され、受渡搬送路８４と、搬送部側搬送路６４とカセット側搬送路４４とが確実に接続される。
【００９４】
図１０（Ｂ）は、搬送部側ガイド部６１が、基準位置にある受渡ガイド部８１の真上から後方にずれていて、且つカセット側ガイド部４１が、基準位置にある受渡ガイド部８１の真下から前方にずれている場合の例である。
【００９５】
この場合、受渡搬送部２５Ａは、受渡ガイド部８１が図中反時計回り方向に回動して、搬送部側ガイド部６１の上側溝６９に上側ローラ１００が嵌合するとともに、カセット側ガイド部４１の下側溝４９に下側ローラ１０２が嵌合する。つまり、受渡ガイド部８１は、前後方向にずれている搬送部側ガイド部６１とカセット側ガイド部４１とを繋ぐように傾く。これにより、受渡ガイド部８１と、搬送部側ガイド部６１及びカセット側ガイド部４１とが連結され、受渡搬送路８４と、搬送部側搬送路６４とカセット側搬送路４４とが確実に接続される。
【００９６】
図１０（Ｃ）は、搬送部側ガイド部６１とカセット側ガイド部４１が、ともに基準位置にある受渡ガイド部８１の真上から前方にずれている場合の例である。この場合、受渡搬送部２５Ａは、受渡ガイド部８１が前方にスライドして、搬送部側ガイド部６１の上側溝６９に上側ローラ１００が嵌合するとともに、カセット側ガイド部４１の下側溝４９に下側ローラ１０２が嵌合する。つまり、受渡ガイド部８１は、前方にずれている搬送部側ガイド部６１とカセット側ガイド部４１とを繋ぐように前方にスライドする。これにより、受渡ガイド部８１と、搬送部側ガイド部６１及びカセット側ガイド部４１とが連結され、受渡搬送路８４と、搬送部側搬送路６４とカセット側搬送路４４とが確実に接続される。
【００９７】
ここでは、受渡搬送部２５Ａの動作例を説明したが、他の受渡搬送部２５Ｂ〜２５Ｆについても同様に動作する。このようにして、受渡搬送部２５（２５Ａ〜２５Ｆ）は、搬送部側ガイド部６１の位置及びカセット側ガイド部４１の位置がそれぞれ前後方向にずれても、受渡搬送部２５（２５Ａ〜２５Ｆ）の受渡搬送路８４を、搬送部側ガイド部６１の搬送部側搬送路６４及びカセット側ガイド部４１のカセット側搬送路４４に接続できるようになっている。
【００９８】
［５．まとめと効果］
ここまで説明したように、現金自動預払機１の紙幣入出金機１０は、金庫筐体２０の上面に、金庫筐体２０の上方に配置された搬送部１４と、金庫筐体２０の内部に前後方向に並べて配置された紙幣カセット２３（２３Ａ〜２３Ｅ）及びリジェクトカセット２４との間で紙幣を受け渡す受渡搬送部２５（２５Ａ〜２５Ｆ）を、前後方向に間隔を空けて複数個設けた。
【００９９】
さらに、受渡搬送部２５（２５Ａ〜２５Ｆ）に、前後方向にスライド可能で且つ前後方向に傾くように回動可能な受渡ガイド部８１を設けた。さらに、この受渡ガイド部８１を構成する前側搬送ガイド４２の上側の左右両端に位置する２個の爪体９７のそれぞれの内部に、爪体９７の上面から上方に突出するように付勢された上側ローラ１００を設け、前側搬送ガイド４２の下側の左右両端に位置する２個の爪体８７のそれぞれの内部に、爪体８７の下面から下方に突出するように付勢された下側ローラ１０２を設けた。
【０１００】
一方、受渡搬送部２５（２５Ａ〜２５Ｆ）の上方（すなわち受渡搬送路８４の上端側）に位置する搬送部１４の下部には、受渡搬送部２５（２５Ａ〜２５Ｆ）の受渡ガイド部８１と連結する搬送部側ガイド部６１を前後方向に間隔を空けて複数個設けた。さらにこの複数の搬送部側ガイド部６１のそれぞれに、受渡搬送部２５（２５Ａ〜２５Ｆ）のそれぞれに設けられた左右２個の上側ローラ１００が嵌合する左右２個の上側溝６９を設けた。
【０１０１】
さらに、受渡搬送部２５（２５Ａ〜２５Ｆ）の下方（すなわち受渡搬送路８４の下端側）に位置する紙幣カセット２３（２３Ａ〜２３Ｅ）及びリジェクトカセット２４のそれぞれの上部には、受渡搬送部２５（２５Ａ〜２５Ｆ）の受渡ガイド部８１と連結するカセット側ガイド部４１を設けた。さらにカセット側ガイド部４１に、受渡搬送部２５（２５Ａ〜２５Ｆ）のそれぞれに設けられた左右２個の下側ローラ１０２が嵌合する左右２個の下側溝４９を設けた。
【０１０２】
これにより、紙幣入出金機１０は、筐体１１に上部ユニット１０Ｕ又は下部フレーム２２を収納した際に、搬送部側ガイド部６１やカセット側ガイド部４１の位置が、受渡ガイド部８１の真上から前後方向にずれていても、受渡ガイド部８１の上側ローラ１００と下側ローラ１０２が、それぞれ上部ユニット１０Ｕ側の上側溝６９と、紙幣カセット２３（２３Ａ〜２３Ｅ）及びリジェクトカセット２４側の下側溝４９とに嵌合することにともなって、受渡ガイド部８１が前後方向にスライドしたり前後方向に傾くことで、受渡ガイド部８１を搬送部側ガイド部６１及びカセット側ガイド部４１に追従させてこれらと連結させることができる。
【０１０３】
かくして、紙幣入出金機１０は、受渡ガイド部８１に対して搬送部側ガイド部６１やカセット側ガイド部４１が前後方向にずれていても、受渡ガイド部８１により形成される受渡搬送路８４を、搬送部側ガイド部６１により形成される搬送部側搬送路６４及びカセット側ガイド部４１により形成されるカセット側搬送路４４に確実に接続することができる。
【０１０４】
また、紙幣入出金機１０は、受渡ガイド部８１に設けた２個の上側ローラ１００及び２個の下側ローラ１０２が、搬送部側ガイド部６１に設けた２個の上側溝６９、及びカセット側ガイド部４１に設けた２個の下側溝４９に嵌合することで、受渡ガイド部８１を搬送部側ガイド部６１及びカセット側ガイド部４１に追従させるようにした。
【０１０５】
ここで、上側ローラ１００及び下側ローラ１０２と上側溝６９及び下側溝４９は、全て受渡ガイド部８１の左右方向（すなわち幅方向）の両端より内側に配置されている。この為、紙幣入出金機１０は、従来のように、受渡ガイド部８１の幅方向の一端の外側に、受渡ガイド部８１を搬送部側ガイド部６１及びカセット側ガイド部４１に追従させる機構を別途設ける必要がなく、従来と比べて、筐体１１の幅方向のサイズを小さくすることができる。かくして、紙幣入出金機１０は、従来と比べて、筐体１１を小型化することができ、これにともなって、現金自動預払機１の筐体２を小型化することもできる。
【０１０６】
ところで、従来の現金自動預払機では、上述したように、受渡搬送部ごとに設けられた回転制御レバーを、受渡搬送部ごとに設けられた押付アームによって、それぞれ別々に押圧しなければならない為、受渡搬送部を複数個設ける場合には、受渡搬送部ごとに設けられた回転制御レバー及び押付アームを、幅方向にずらして配置しなければならなかった。
【０１０７】
このような従来の現金自動預払機において、受渡搬送部の下方に配置される複数の紙幣カセットを、これら複数の紙幣カセットを着脱可能に保持するフレームとともに筐体内部から筐体外部に引き出される引出方向、及び筐体外部から筐体内部に収納される収納方向に移動可能とした場合、複数の紙幣カセットのそれぞれの上部に押付アームを取り付けることになる。
【０１０８】
この場合、フレームに対してセットされる複数の紙幣カセットの前後方向の並び順が重要であり、例えば、本来１番前にセットする紙幣カセットを、１番後ろにセットするなどして並び順を変えてしまうと、受渡搬送部側の回転制御レバーと、紙幣カセット側の押付アームとの幅方向の位置が対応しなくなり、フレームを収納する際に、回転制御レバーや押付アームが破損してしまう恐れがあった。
【０１０９】
これに対して、本実施の形態の現金自動預払機１では、各受渡搬送部２５（２５Ａ〜２５Ｆ）において、下側ローラ１０２の左右方向の位置（すなわち受渡搬送路８４の幅方向における下側ローラ１０２の位置）及び大きさが等しく、且つ各カセット側ガイド部４１においても、下側溝４９の左右方向の位置及び大きさが等しい。
【０１１０】
ゆえに、現金自動預払機１は、下部フレーム２２を筐体１１内部に収納する際には、各受渡搬送部２５（２５Ａ〜２５Ｆ）の下側ローラ１０２が、各カセット側ガイド部４１の下側溝４９に対して、順に嵌合と離脱を繰り返していき、最終的に、各受渡搬送部２５（２５Ａ〜２５Ｆ）の下側ローラ１０２が、対応する各カセット側ガイド部４１の下側溝４９に嵌合する。
【０１１１】
このように、現金自動預払機１では、各受渡搬送部２５（２５Ａ〜２５Ｆ）が、それぞれ共通の位置及び大きさの下側ローラ１０２を有し、且つ各カセット側ガイド部４１が、それぞれ共通の位置及び大きさの下側溝４９を有している為、紙幣カセット２３（２３Ａ〜２３Ｅ）の前後方向の並び順を代えても、下側ローラ１０２などが破損することなく、各受渡ガイド部８１と各カセット側ガイド部４１を連結できる。
【０１１２】
また、現金自動預払機１では、各受渡搬送部２５（２５Ａ〜２５Ｆ）が共通であり、各カセット側ガイド部４１の構成も共通である為、製造コストを抑えることができるという効果も得られる。
【０１１３】
［６．他の実施の形態］
［６−１．他の実施の形態１］
尚、上述した実施の形態では、受渡ガイド部８１を構成する前側搬送ガイド４２の上側の左右両端に位置する２個の爪体９７のそれぞれに上側ローラ１００を設け、前側搬送ガイド４２の下側の左右両端に位置する２個の爪体８７のそれぞれに下側ローラ１０２を設けた。
【０１１４】
これに限らず、図１１に示すように、受渡ガイド部８１を構成する前側搬送ガイド４２の上側の中央に位置する１個の爪体９７に１個の上側ローラ１００を設け、前側搬送ガイド４２の下側の中央に位置する１個の爪体８７に１個の下側ローラ１０２を設けるなどしてもよい。この場合、搬送部１４の下部には、中央部６０Ｃの左右方向の中央に、上側ローラ１００が嵌合する１個の上側溝６９を設ければよい。また、紙幣カセット２３（２３Ａ〜２３Ｅ）及びリジェクトカセット２４のそれぞれの上部には、中央部４０Ｃの左右方向の中央に、下側ローラ１０２が嵌合する１個の下側溝４９を設ければよい。
【０１１５】
また、これに限らず、上側ローラ１００を、左右両端の爪体９７及び中央の爪体９７以外の爪体９７に設けるようにしてもよく、同様に下側ローラ１０２を、左右両端の爪体８７及び中央の爪体８７以外の爪体８７に設けるようにしてもよい。
【０１１６】
さらに、これに限らず、上側ローラ１００を、前側搬送ガイド４２ではなく後側搬送ガイド４３に設けてもよいし、前側搬送ガイド４２と後側搬送ガイド４３の両方に設けてもよい。同様に下側ローラ１０２を、前側搬送ガイド４２ではなく後側搬送ガイド４３に設けてもよいし、前側搬送ガイド４２と後側搬送ガイド４３の両方に設けてもよい。
【０１１７】
さらに、上述した実施の形態では、前側搬送ガイド４２の上側の爪体９７の前側（すなわちガイド面とは反対側の前端部寄り）に上側ローラ１００を設け、下側の爪体８７の前側（すなわちガイド面とは反対側の前端部寄り）に下側ローラ１０２を設けた。これに限らず、上側ローラ１００及び下側ローラ１０２の前後方向の位置については、爪体９７及び爪体８７の前面とガイド面との間であれば、どの位置に設けてもよい。また、上側ローラ１００及び下側ローラ１０２の径の大きさについては、上側ローラ１００及び下側ローラ１０２が、爪体９７及び爪体８７に取り付け可能で、且つ爪体９７及び爪体８７より上方及び下方に突出可能であれば、どのような大きさであってもよい。尚、上側溝６９及び下側溝４９は、上側ローラ１００及び下側ローラ１０２の径に合う大きさとなっていればよい。
【０１１８】
［６−２．他の実施の形態２］
また、上述した実施の形態では、受渡搬送部２５（２５Ａ〜２５Ｆ）の上方に位置する上部ユニット１０Ｕと、下方に位置する下部フレーム２２が、それぞれ筐体１１内部から引き出し可能となっている現金自動預払機１に本発明を適用した。これに限らず、本発明は、上部ユニット１０Ｕと下部フレーム２２のどちらか一方のみが筐体１１内部から引き出し可能な現金自動預払機にも適用することができる。
【０１１９】
例えば、下部フレーム２２のみが筐体１１内部から引き出し可能な現金自動預払機に適用する場合、図１２に示すように、受渡搬送部２５（２５Ａ〜２５Ｆ）の代わりに、受渡搬送部２５から上側ローラ１００を取り除いた、受渡搬送部２００を現金自動預払機に設けるようにすればよい。尚、受渡搬送部２００については、下方のカセット側ガイド部４１にのみ追従すればよい為、例えば、回動軸８０Ｐの上下方向の位置を、受渡搬送部２００の上下方向の中心より上方に位置させてもよく、また、回動のみ可能として前後方向へはスライドできないようにしてもよい。
【０１２０】
［６−３．他の実施の形態３］
さらに、上述した実施の形態では、受渡搬送部２５（２５Ａ〜２５Ｆ）側に上側ローラ１００及び下側ローラ１０２を設け、受渡搬送部２５（２５Ａ〜２５Ｆ）の上方に位置する搬送部側ガイド部６１側に上側溝６９、下方に位置するカセット側ガイド部４１側に下側溝４９を設けた。これとは逆に、例えば、図１３に示すように、搬送部側ガイド部６１側に上側ローラ１００を設けるとともに、カセット側ガイド部４１側に下側ローラ１０２を設け、受渡搬送部２５（２５Ａ〜２５Ｆ）側に上側溝６９及び下側溝４９を設けるようにしてもよい。このような構成でも、上述した実施の形態と同様の効果を得ることができる。
【０１２１】
［６−４．他の実施の形態４］
さらに、上述した実施の形態では、受渡搬送部２５（２５Ａ〜２５Ｆ）のそれぞれに、位置決め手段及び突起部の具体例として円盤状の上側ローラ１００及び下側ローラ１０２を設けた。これに限らず、例えば図１４に示すように、受渡搬送部２５（２５Ａ〜２５Ｆ）のそれぞれに、円盤状の上側ローラ１００及び下側ローラ１０２に代えて、断面蒲鉾型で板状の上側突起部２１０及び下側突起部２１１を設けてもよい。
【０１２２】
上側突起部２１０は、上側の爪体９７より薄く、爪体９７の内部に、爪体９７の上面に設けられた孔から半円形の部分が突出するようにして取り付けられている。上側突起部２１０は、左右両側面に、それぞれ上下方向に間隔を空けて２本ずつ円柱状のスライド軸２１０Ｐが設けられていて、左右２本ずつのスライド軸２１０Ｐが、爪体９７内部の左右両側面に形成された上下方向に延びる溝９７Ｇに挿入されている。この為、上側突起部２１０は、爪体９７に対して、上下方向にスライドできるようになっている。さらに、上側突起部２１０は、爪体９７の内部に設けられた付勢部材１０１により上方に付勢されている。
【０１２３】
一方、下側突起部２１１は、下側の爪体８７より薄く、爪体８７の内部に、爪体８７の下面に設けられた孔から半円形の部分が突出するようにして取り付けられている。下側突起部２１１は、左右両側面に、それぞれ上下方向に間隔を空けて２本ずつ円柱状のスライド軸２１１Ｐが設けられていて、左右２本ずつのスライド軸２１１Ｐが、爪体８７内部の左右両側面に形成された上下方向に延びる溝８７Ｇに挿入されている。この為、下側突起部２１１は、爪体８７に対して、上下方向にスライドできるようになっている。さらに、下側突起部２１１は、爪体８７の内部に設けられた付勢部材１０１により下方に付勢されている。
【０１２４】
そして、上側突起部２１０が、上側ローラ１００の代わりに上側溝６９に嵌合し、下側突起部２１１が、下側ローラ１０２の代わりに下側溝４９に嵌合することで、これら上側突起部２１０及び下側突起部２１１が、上側ローラ１００及び下側ローラ１０２と同様に機能する。尚、上側突起部２１０の左右両側面に、それぞれ２本ずつ設けられた円柱状のスライド軸２１０Ｐの代わりに、上下方向に延びる板状のスライド軸を設けるようにしてもよい。下側突起部２１１についても同様である。
【０１２５】
また、これに限らず、上側ローラ１００及び下側ローラ１０２、上側突起部２１０及び下側突起部２１１と同様に機能するものであれば、これらとは構成の異なる位置決め手段及び突起部を、受渡搬送部２５（２５Ａ〜２５Ｆ）に設けてもよい。
【０１２６】
［６−５．他の実施の形態５］
さらに、上述した実施の形態では、上側溝６９及び下側溝４９を、それぞれ断面台形状の溝とした。これに限らず、それぞれ上側ローラ１００及び下側ローラ１０２の周側面と、前後方向（すなわち引出方向及び収納方向）に離れた２箇所で接触できる形状であればよく、例えば断面Ｖ字型の溝などとしてもよい。
【０１２７】
［６−６．他の実施の形態６］
また、上述した各実施の形態では、本発明を、媒体処理装置の具体例としての紙幣入出金機１０に適用したが、これに限らず、２つのガイド部を連結して搬送路を接続する機構を有する媒体処理装置であれば、紙幣入出金機１０とは異なる構成の媒体処理装置にも適用できる。さらに、上述した各実施の形態では、媒体取引装置の具体例としての現金自動預払機１に本発明を適用したが、これに限らず、２つのガイド部を連結して搬送路を接続する機構を有する媒体処理装置を備えた媒体取引装置であれば、現金自動預払機１とは異なる構成の媒体取引装置にも適用できる。例えば、紙幣以外の媒体（切符、チケットなど）を搬送する媒体処理装置を備えた媒体取引装置にも適用できる。
【０１２８】
［６−７．他の実施の形態７］
さらに、上述した各実施の形態では、紙幣入出金機１０に、第１搬送路としての受渡搬送路８４を形成する搬送ガイド部の具体例として受渡ガイド部８１を設けたが、これに限らず、受渡ガイド部８１と同様に機能するものであれば、受渡ガイド部８１とは異なる構成の搬送ガイド部を設けてもよい。さらに、上述した各実施の形態では、紙幣入出金機１０に、第２搬送路としてのカセット側搬送路４４を形成する接続側搬送ガイド部の具体例としてカセット側ガイド部４１を設けた。これに限らず、カセット側ガイド部４１と同様に機能するものであれば、カセット側ガイド部４１とは異なる構成の接続側搬送ガイド部を設けてもよい。さらに、上述した各実施の形態では、紙幣入出金機１０に、第２搬送路としての搬送部側搬送路６４を形成する接続側搬送ガイド部の具体例として搬送部側ガイド部６１を設けた。これに限らず、搬送部側ガイド部６１と同様に機能するものであれば、搬送部側ガイド部６１とは異なる構成の接続側搬送ガイド部を設けてもよい。
【０１２９】
［６−８．他の実施の形態８］
さらに、本発明は、上述した各実施の形態に限定されるものではない。すなわち本発明は、上述した実施の形態と他の実施の形態の一部または全部を任意に組み合わせた実施の形態や、一部を抽出した実施の形態にもその適用範囲が及ぶものである。
【産業上の利用可能性】
【０１３０】
本発明は、例えば２つのガイド部を連結して搬送路を接続する機構を有する種々の媒体処理装置で利用できる。
【符号の説明】
【０１３１】
１……現金自動預払機、１０……紙幣入出金機、１４……搬送部、２３、３０５……紙幣カセット、２４……リジェクトカセット、２５、２００、３０６……受渡搬送部、４１……カセット側ガイド部、４２、６２、８２……前側搬送ガイド、４３、６３、８３……後側搬送ガイド、４４……カセット側搬送路、４７、６７、８７、９７……爪体、４９……下側溝、６１……搬送部側ガイド部、６４……搬送部側搬送路、６９……上側溝、８１……受渡ガイド部、８４……受渡搬送路、８０Ｐ、１００Ｐ、１０２Ｐ……回動軸、１００……上側ローラ、１０１……付勢部材、１０２……下側ローラ、２１０……上側突起部、２１０Ｐ、２１１Ｐ……スライド軸、２１１……下側突起部。
【図１】
2017228250.tif 000003
【図２】
2017228250.tif 000004
【図３】
2017228250.tif 000005
【図４】
2017228250.tif 000006
【図５】
2017228250.tif 000007
【図６】
2017228250.tif 000008
【図７】
2017228250.tif 000009
【図８】
2017228250.tif 000010
【図９】
2017228250.tif 000011
【図１０】
2017228250.tif 000012
【図１１】
2017228250.tif 000013
【図１２】
2017228250.tif 000014
【図１３】
2017228250.tif 000015
【図１４】
2017228250.tif 000016
【図１５】
2017228250.tif 000017